(57)【要約】【課題】鉄塔の上などの高所に設置されることが多い雲台のメンテナンスを容易に行うことができるテレビカメラ洗浄システムを提供する。【解決手段】テレビレンズとテレビカメラとからなるテレビカメラ装置が装着される雲台本体と、前記テレビカメラ装置のテレビレンズの撮影窓を洗浄するための洗浄水を貯留するウォッシャー用タンクと、を備えるテレビレンズ洗浄システムにおいて、前記ウォッシャー用タンクは前記雲台本体にヒンジ部を介して装着されていることを特徴とする。【選択図】  図４
2007312312.tif 000002
【特許請求の範囲】
【請求項１】
テレビレンズとテレビカメラとからなるテレビカメラ装置が装着される雲台本体と、前記テレビカメラ装置のテレビレンズの撮影窓を洗浄するための洗浄水を貯留するウォッシャー用タンクと、を備えるテレビレンズ洗浄システムにおいて、
前記ウォッシャー用タンクは前記雲台本体にヒンジ部を介して装着されていることを特徴とするテレビレンズ洗浄システム。
【請求項２】
前記雲台本体の側面にはメンテナンスを要する内部部位が露出する開口が設けられており、
前記ウォッシャー用タンクは、前記開口を閉塞する蓋を兼ねていることを特徴とする請求項１に記載のテレビレンズ洗浄システム。
【請求項３】
前記テレビカメラ装置は前記雲台本体の前記ウォッシャー用タンクが装着された側とは反対側の側面に装着されることを特徴とする請求項２に記載のテレビレンズ洗浄システム。
【請求項４】
前記開口には該開口を覆うプレートが着脱自在に装着されていることを特徴とする請求項２又は３に記載のテレビレンズ洗浄システム。
【発明の詳細な説明】
【技術分野】
【０００１】
本発明はテレビレンズ洗浄システムに係り、特に鉄塔の上などの高所に設置されることが多い雲台のメンテナンスを容易に行うことができるテレビレンズ洗浄システムに関する。
【背景技術】
【０００２】
テレビカメラ等を搭載する雲台装置は、遠隔操作によりカメラのパン・チルト動作やフォーカシング、ズーミング等を行うものである。特に、テレビカメラをビルの屋上や鉄塔の上などの屋外に設置する場合には、カメラを収納するハウジングを備えた雲台装置が使用される。
【０００３】
ハウジングにはカメラの撮影レンズの前面に対応する位置に保護ガラス（撮影窓ともいう）が配置されており、該保護ガラスを洗浄等するための手段としてウォッシャー用タンク装置が設けられている。このようなウォッシャー用タンク装置として例えば特許文献１に記載のものがある。この特許文献１に記載のウォッシャー用タンク装置では、洗浄液を蓄えたウォッシャー用タンクが雲台本体の側面に取り付けられている。ウォッシャー用タンクには保護ガラス近傍に配置されたノズルが接続されており、このノズルからウォッシャー用タンク内の洗浄液を噴射することにより、保護ガラスを洗浄するようになっている。
【特許文献１】特開２０００−１１１９９３号公報
【発明の開示】
【発明が解決しようとする課題】
【０００４】
しかしながら、特許文献１に記載のウォッシャー用タンク装置は雲台本体の側面に単にネジ止め等により装着されているだけなので、例えば、雲台本体内部部位のメンテナンス（例えば内部回路基板等の不具合修理、修正ソフトウェアへの書き換え）に際して、いちいちウォッシャー用タンク装置を雲台本体から取り外さなければならない。鉄塔の上などの高所に設置されることが多い雲台においては付近にその取り外したウォッシャー用タンク装置の置き場を確保することは困難であり、したがって、雲台のメンテナンスを容易に行えないという問題があった。
【０００５】
本発明はこのような事情に鑑みてなされたもので、鉄塔の上などの高所に設置されることが多い雲台のメンテナンスを容易に行うことができるテレビレンズ洗浄システムを提供することを目的とする。
【課題を解決するための手段】
【０００６】
本発明は上記課題を解決するためになされたものであり、請求項１に記載の発明は、テレビレンズとテレビカメラとからなるテレビカメラ装置が装着される雲台本体と、前記テレビカメラ装置のテレビレンズの撮影窓を洗浄するための洗浄水を貯留するウォッシャー用タンクと、を備えるテレビレンズ洗浄システムにおいて、前記ウォッシャー用タンクは前記雲台本体にヒンジ部を介して装着されていることを特徴とする。
【０００７】
請求項１に記載の発明によれば、雲台本体内部部位のメンテナンス（例えば内部回路基板等の不具合修理、修正ソフトウェアへの書き換え）に際して、ウォッシャー用タンクを雲台本体内部部位のメンテナンスがし易い位置まで移動（すなわちヒンジ部を中心に回転）させたとしても、ウォッシャー用タンクは雲台本体にヒンジ部を介して装着されているので、ウォッシャー用タンクの置き場所に困ることはない。すなわち、鉄塔の上などの高所に設置されることが多い雲台のメンテナンスを容易に行うことが可能となる。
【０００８】
請求項２に記載の発明は、請求項１に記載の発明において、前記雲台本体の側面にはメンテナンスを要する内部部位が露出する開口が設けられており、前記ウォッシャー用タンクは、前記開口を閉塞する蓋を兼ねていることを特徴とする。
【０００９】
請求項２に記載の発明によれば、ウォッシャー用タンクがメンテナンス対象の内部部位が露出する開口の蓋として機能するので、別途開口の蓋を設ける必要がない。
【００１０】
請求項３に記載の発明は、請求項２に記載の発明において、前記テレビカメラ装置は前記雲台本体の前記ウォッシャー用タンクが装着された側とは反対側の側面に装着されることを特徴とする。
【００１１】
請求項３に記載の発明によれば、テレビカメラ装置とウォッシャー用タンクとの重量バランスが好ましいものとなる。
【００１２】
請求項４に記載の発明は、請求項２又は３に記載の発明において、前記開口には該開口を覆うプレートが着脱自在に装着されていることを特徴とする。
【００１３】
請求項４に記載の発明によれば、雲台本体の密閉性を向上させることが可能となる。
【発明の効果】
【００１４】
本発明によれば、鉄塔の上などの高所に設置されることが多い雲台のメンテナンスを容易に行うことができるテレビレンズ洗浄システムを提供することが可能となる。
【発明を実施するための最良の形態】
【００１５】
本発明の一実施形態である鉄塔の上などの高所に設置されることが多い雲台のメンテナンスを容易に行うことができるテレビレンズ洗浄システムについて図面を参照しながら説明する。
【００１６】
図１は、本実施形態のテレビレンズ洗浄システムの概略システム構成図である。
【００１７】
本実施形態のテレビレンズ洗浄システムは、テレビレンズ１１ａの撮影窓を洗浄するための撮影窓（保護ガラス１８等）を洗浄するためのものであり、テレビカメラ（図示せず）とテレビレンズ１１ａが接続されたテレビカメラ装置１１を取り付けた雲台装置１０、前記テレビカメラを収容するハウジング１２、テレビカメラ装置１１をパンニング及びチルティングさせる雲台本体１４、ウォッシャー用タンク装置４４等を備えている。
【００１８】
図２に示すように、雲台本体１４は、パン軸支持部１５や据付台１６を介して鉄塔頂部等に設置されている。
【００１９】
図１中、雲台本体１４の右側面には、チルト軸２４を介してハウジング１２が設けられている。すなわち、テレビカメラ装置１１のチルティングが可能となっている。ハウジング１２の前面には透明な保護ガラス１８が設けられており、該保護ガラス１８の周囲にはワイパー装置２０及び保護ガラス１８を洗浄するためのウォッシャーノズル２２が配設されている。
【００２０】
雲台本体１４の下部にはパン軸（図示せず）が設けられている。すなわち、テレビカメラ装置１１のパンニングが可能となっている。なお、テレビカメラ装置１１のチルティングやパンニングは、遠隔に設けられたコントローラ４０により遠隔から行うことが可能となっている。
【００２１】
図１及び図３中、雲台本体１４の左側面には、ウォッシャー用タンク装置４４がヒンジ部７０を介して装着されており、図４に示すように、ウォッシャー用タンク装置４４は、ヒンジ部７０を中心に回転可能となっている。このように、テレビカメラ装置１１が設けられる側とは反対側の側面にウォッシャー用タンク装置４４を設けるようにしたので、テレビカメラ装置１１とウォッシャー用タンク装置４４との重量バランスが好ましいものとなる。
【００２２】
ウォッシャー用タンク装置４４は、図３に示す位置においてネジ７１等により雲台本体１４に固定される。なお、ウォッシャー用タンク装置４４の雲台本体１４と向き合う面周囲にはゴム等のシール材７２が設けられているので、図３に示す位置関係において両者は密着しその接続部分から雨滴等が内部に侵入するのを防止可能となっている。
【００２３】
図５は、図４に示した矢印方向から見た雲台本体１４とウォッシャー用タンク装置４４の図である。
【００２４】
図５に示すように、雲台本体１４の左側面にはメンテナンス対象の内部部位（例えば、パンニングやチルティング用モーター等の駆動部、その制御用の回路基板、その制御用のプログラムが格納されたメモリ）が露出する開口７３が設けられている。なお、図５では説明の都合上メンテナンス対象の内部部位を省略して表している。
【００２５】
この開口７３のサイズはウォッシャー用タンク装置４４の雲台本体１４と向き合う面１４ａと略同サイズかあるいはそれよりも小サイズとなっている。すなわち、開口７３は、ウォッシャー用タンク装置４４が図３に示す位置に位置することにより、完全に密閉されるようになっている。いわば、ウォッシャー用タンク装置４４が開口７３を開閉する扉として機能するようになっている。
【００２６】
次に、ウォッシャー用タンク装置４４（以下タンク装置４４ということがある）の詳細について図１を参照しながら説明する。タンク装置４４にはタンク４４ｂ内のウォッシャー液４３の下限水位を検出する下限センサ４６と、上限水位を検出する上限センサ４８とが設けられ、各センサ４６、４８の検出信号はポンプ駆動回路（制御手段に相当）５０に通知される。タンク４４ｂに蓄えられているウォッシャー液４３は図示せぬチューブを介してウォッシャーノズル２２まで導かれ、コントローラ４０からの指示に従ってウォッシャーノズル２２からウォッシャー液４３が噴射されるようになっている。
【００２７】
また、タンク装置４４のタンク４４ｂとは別個に、これよりも容量の大きな補助タンク５４が用意されている。補助タンク５４にはポンプ５６が設けられており、該ポンプ５６によって補助タンク５４からタンク４４ｂへとウォッシャー液が供給される。なお、符号５８はウォッシャー液を導くチューブである。
【００２８】
補助タンク５４にもウォッシャー液の下限水位を検出する下限センサ６０が設けられ、該センサ６０の検出信号はポンプ駆動回路５０に通知されるようになっている。ポンプ駆動回路５０は前記各センサ４６、４８、６０の検知信号に基づいてタンク４４ｂ及び補助タンク５４の水位を監視しながらポンプ５６を制御し、補助タンク５４から雲台側のタンク４４ｂにウォッシャー液を補充する。
【００２９】
ポンプ駆動回路５０はコントローラ４０と接続されており、コントローラ４０には補助タンク５４の水位の低下を警告する警告灯６２が設けられている。補助タンク５４の下限センサ６０によって下限水位が検出されると警告灯６２が点灯し、補助タンク５４へのウォッシャー液の補給時期を知らせるようになっている。なお、寒冷地等で使用する場合には不凍液を用いることが好ましい。
【００３０】
次に、上記のように構成されたテレビレンズ洗浄システムの使用例について説明する。
【００３１】
通常、ウォッシャー用タンク装置４４は、図３に示す位置においてネジ７１等により雲台本体１４に固定されている。雲台本体１４内部部位のメンテナンス（例えば内部回路基板等の不具合修理、修正ソフトウェアへの書き換え）が必要となった場合、ネジ７１を外して、ウォッシャー用タンク装置４４を雲台本体１４内部部位のメンテナンスがし易い位置までヒンジ部７０を中心に回転させる。例えば、図４に示す位置関係となるように回転させる。
【００３２】
これにより、図５に示すように、雲台本体１４の左側面に設けられた開口７３が現れるので、この開口７３を介してメンテナンス対象の内部部位（例えば、パンニングやチルティング用モーター等の駆動部、その制御用の回路基板、その制御用のプログラムが格納されたメモリ）をメンテナンスすることが可能となる。このメンテナンスに際して、ウォッシャー用タンク装置４４は雲台本体１４にヒンジ部７０を介して装着されているので、ウォッシャー用タンク装置４４の置き場所に困ることはない。すなわち、鉄塔の上などの高所に設置されることが多い雲台装置１０のメンテナンスを容易に行うことが可能となる。
【００３３】
メンテナンスが終了すると、ウォッシャー用タンク装置４４を、図３に示す位置関係となるようにヒンジ部７０を中心に回転させる。そして、ネジ７１等により雲台本体１４に固定する。なお、ウォッシャー用タンク装置４４の雲台本体１４と向き合う面周囲にはゴム等のシール剤７２が設けられているので、図３に示す位置関係において両者は密着しその接続部分から雨滴等が内部に侵入することはない。
【００３４】
以上説明したように、本実施形態のテレビレンズ洗浄システムによれば、雲台本体１４内部部位のメンテナンス（例えば内部回路基板等の不具合修理、修正ソフトウェアへの書き換え）に際して、ウォッシャー用タンク装置４４を雲台本体内部部位のメンテナンスがし易い位置まで移動（すなわちヒンジ部を中心に回転）させたとしても、ウォッシャー用タンク装置４４は雲台本体１４にヒンジ部７０を介して装着されているので、ウォッシャー用タンク装置４４の置き場所に困ることはない。すなわち、鉄塔の上などの高所に設置されることが多い雲台装置１０のメンテナンスを容易に行うことが可能となる。
【００３５】
また、ウォッシャー用タンク装置４４（の側面４４ａ）がメンテナンス対象の内部部位が露出する開口７３の蓋として機能するので、別途開口７３の蓋を設ける必要がない。
【００３６】
なお、上記実施形態では、ウォッシャー用タンク装置４４が開口７３を開閉する扉として機能するように説明したが、本発明はこれに限定されない。
【００３７】
例えば、内部密閉性を向上させるべく、例えば、図６に示すように、開口７３を覆うプレートを着脱自在に装着するようにしてもよい。図６は、合計７本のネジで装着した例である。
【００３８】
上記実施形態はあらゆる点で単なる例示にすぎない。これらの記載によって本発明は限定的に解釈されるものではない。本発明はその精神または主要な特徴から逸脱することなく他の様々な形で実施することができる。
【図面の簡単な説明】
【００３９】
【図１】本発明の一実施形態であるテレビレンズ洗浄システムの概略システム構成図である。
【図２】本発明の一実施形態であるテレビレンズ洗浄システムの設置例を説明するための図である。
【図３】雲台本体１４とウォッシャー用タンク装置４４との接続関係を説明するための図である。
【図４】ウォッシャー用タンク装置４４を回転させた状態を説明するための図である。
【図５】図４に示した矢印方向から見た雲台本体１４とウォッシャー用タンク装置４４の図である。
【図６】本発明の一実施形態であるテレビレンズ洗浄システムの概略システム構成図である。
【符号の説明】
【００４０】
１０…雲台装置、１１…テレビカメラ装置、１１ａ…テレビレンズ、１２…ハウジング、１４…雲台本体、１４ａ…面、１５…パン軸支持部、１６…据付台、１８…保護ガラス、２０…ワイパー装置、２２…ウォッシャーノズル、２４…チルト軸、２６…パン軸、４０…コントローラ、４３…ウォッシャー液、４４…ウォッシャー用タンク装置、４４ａ…側面、４４ｂ…タンク、４６…下限センサ、４６…各センサ、４８…上限センサ、５０…ポンプ駆動回路、５４…補助タンク、５６…ポンプ、６０…下限センサ、６２…警告灯、７０…ヒンジ部、７１…ネジ、７２…シール剤、７３…開口
【図１】
2007312312.tif 000003
【図２】
2007312312.tif 000004
【図３】
2007312312.tif 000005
【図４】
2007312312.tif 000006
【図５】
2007312312.tif 000007
【図６】
2007312312.tif 000008